(57)【特許請求の範囲】
【請求項１】
切削加工処理の際に生じる粉塵を回収する集塵装置と、前記集塵装置を接続可能であって切削ツールにより被加工物を切削して切削加工処理を行う切削加工機とを有する切削加工装置であって、
前記切削加工機は、
外部より入力される切削加工データを受信する切削加工データ受信手段と、
前記切削加工データ受信手段において前記切削加工データを受信すると直ちに、前記集塵装置に対して集塵装置制御信号を出力する集塵装置制御手段と、
前記集塵装置に吸引される空気の流れを検知する流量センサーと、
前記流量センサーを監視して、前記流量センサーの測定結果を取得する流量センサー監視手段と、
前記流量センサー監視手段において取得した前記測定結果より、前記集塵装置が起動しているか否かを判断し、前記集塵装置が起動しているものと判断した場合に、前記切削加工データ受信手段において受信された前記切削加工データに基づいて前記被加工物の切削加工処理を開始する切削加工制御手段と
を有し、
前記集塵装置は、
前記集塵装置制御手段から出力された前記集塵装置制御信号を受信する外部信号入力監視部
を有し、
前記集塵装置は、前記外部信号入力監視部が前記集塵装置制御信号を受信すると起動し、
前記流量センサー監視手段は、前記主軸動作制御手段によって前記主軸の回転が開始された後に前記流量センサーの監視を開始する
ことを特徴とする切削加工装置。
【請求項２】
請求項１に記載の切削加工装置において、
前記切削加工機は、
前記流量センサー監視手段において取得した前記測定結果より、前記集塵装置が起動していないと判断した場合に警告を表示する警告表示手段を有する
ことを特徴とする切削加工装置。
【請求項３】
切削加工処理の際に生じる粉塵を回収する集塵装置と、前記集塵装置を接続可能であって切削ツールにより被加工物を切削して切削加工処理を行う切削加工機とを有する切削加工装置における切削加工方法であって、
前記切削加工機が外部より入力される切削加工データを受信する切削加工データ受信工程と、
前記切削加工データ受信工程において前記切削加工データを受信すると直ちに、前記集塵装置に対して集塵装置制御信号を出力する集塵装置制御工程と、
前記集塵装置制御工程において出力された前記集塵装置制御信号を前記集塵装置が受信すると、前記集塵装置を起動する起動工程と、
前記主軸動作制御工程により前記主軸の回転が開始された後に、前記集塵装置に吸引される空気の流れを検知する流量センサーの監視を開始し、前記流量センサーの測定結果を取得する流量センサー監視工程と、
前記流量センサー監視工程において取得した前記測定結果より、前記集塵装置が起動しているか否かを判断し、前記集塵装置が起動しているものと判断した場合に、前記切削加工データ受信工程において受信された前記切削加工データに基づいて前記被加工物の切削加工処理を開始する切削加工制御工程と
を有することを特徴とする切削加工方法。
【請求項４】
請求項３に記載の切削加工方法において、
前記流量センサー監視工程において取得した前記測定結果より、前記集塵装置が起動していないと判断した場合に警告を表示する警告表示工程を有する
ことを特徴とする切削加工方法。
【発明の詳細な説明】
【技術分野】
【０００１】
本発明は、切削加工機および切削加工方法に関し、さらに詳細には、集塵装置を接続可能な切削加工機および切削加工方法に関する。
【背景技術】
【０００２】
従来より、切削加工機を用いて、ジルコニアなどのセラミックス材料やアクリル樹脂などの樹脂よりなる被加工物をドリル状の刃物などよりなる切削ツールにより所望の形状に切削加工を行い、所望の切削加工物を得る技術が知られている。
【０００３】
ここで、切削加工機は、切削ツールにより被加工物を切削する際に、削りかす（以下、「削りかす」を「粉塵」と称することとする。）を生じる。
【０００４】
このような粉塵を切削加工機内に存在したままにしておくと、切削加工機内に粉塵が滞留し、切削加工機の故障や切削が困難となる状況を招くことがあるため、粉塵を回収する必要がある。
【０００５】
こうした粉塵を回収するために、従来の切削加工機は、集塵装置を接続可能に構成されているとともに集塵装置による集塵が実際に行われているかを確認するための流量センサーを備えていた。切削加工機は、この流量センサーを監視していて、実際に集塵が行われている場合にのみ加工を開始するようになされていた。
【０００６】
一方、切削加工機に接続可能な集塵装置には、切削加工機の消費電力の変化を監視する手段を有するようにし、切削加工機により切削ツールの回転が開始されるなどして消費電力が変化して所定の値以上になると、切削動作が開始されたものと判断して自動的に集塵を開始し、消費電力が所定の値以下であれば切削動作は開始されていないと判断して集塵を開始しないようにするタイプのものが知られている。
【０００７】
このため、従来の切削加工機においては、切削加工機に接続される集塵装置のタイプによっては、切削加工機と集塵装置との連動がうまくいかないという問題点があった。
【０００８】
また、切削加工機と集塵装置との連動がうまくいかないことにより、切削加工機が実際に切削加工処理に入るまでに無駄な時間を消費することがあるという問題点があった。
【０００９】
さらにまた、切削加工機が実際に切削加工処理を行うときに、集塵装置の吸引力が安定していない場合があるという問題点があった。
【００１０】
そのため、切削加工機と集塵装置とが速やかに連動することを可能にする切削加工機および切削加工方法が要望されていた。
【００１１】
なお、本願出願人が特許出願時に知っている先行技術は、上記において説明したようなものであって文献公知発明に係る発明ではないため、記載すべき先行技術情報はない。
【発明の概要】
【発明が解決しようとする課題】
【００１２】
本発明は、従来の技術の有する上記したような問題点に鑑みてなされたものであり、その目的とするところは、切削加工機と集塵装置とが速やかに連動することを可能にした切削加工機および切削加工方法を提供しようとするものである。
【課題を解決するための手段】
【００１３】
上記目的を達成するために、本発明は、切削ツールを有する主軸の回転を開始してから切削加工機の流量センサーによる監視を開始するようにしたものである。
【００１４】
また、上記目的を達成するために、本発明は、切削加工機が外部より切削加工データを受信すると、直ちに自動的に切削加工機から集塵装置制御信号を集塵装置へ出力するようにしたものである。
【００１５】
即ち、本発明は、切削加工処理の際に生じる粉塵を回収する集塵装置を接続可能であって、外部より入力される切削加工データに基づいて、切削ツールにより被加工物を切削して切削加工処理を行う切削加工機において、外部より入力される切削加工データを受信し、被加工物の形状を認識する切削加工データ受信手段と、切削ツールを回転させる主軸の動作を制御する主軸動作制御手段と、上記主軸動作制御手段により上記主軸の回転が開始されると、上記集塵装置に吸引される空気の流れを検知する流量センサーの監視を開始し、上記流量センサーの測定結果を取得する流量センサー監視手段と、上記流量センサー監視手段において取得した上記測定結果より、上記集塵装置が起動しているか否かを判断し、上記集塵装置が起動しているものと判断した場合に、上記切削加工データ受信手段において受信された上記切削加工データに基づいて上記被加工物に切削加工処理を開始する切削加工制御手段とを有するようにした。
【００１６】
また、本発明は、上記した発明において、上記流量センサー監視手段において取得した上記測定結果より、上記集塵装置が起動していないと判断した場合に警告を表示する警告表示手段を有するようにした。
【００１７】
また、本発明は、切削加工処理の際に生じる粉塵を回収するとともに切削加工機よりの信号が入力可能な集塵装置を接続可能であって、外部より入力される切削加工データに基づいて、切削ツールにより被加工物を切削して切削加工処理を行う切削加工機において、外部より入力される切削加工データを受信し、被加工物の形状を認識する切削加工データ受信手段と、上記切削加工データ受信手段において上記切削加工データを受信すると、上記集塵装置に対して集塵装置制御信号を出力し、上記集塵装置の起動および停止を制御する集塵装置制御手段と、上記集塵装置に吸引される空気の流れを検知する流量センサーの監視を開始し、上記流量センサーの測定結果を取得する流量センサー監視手段と、上記流量センサー監視手段において取得した上記測定結果より、上記集塵装置が起動しているか否かを判断し、上記集塵装置が起動しているものと判断した場合に、上記切削加工データ受信手段において受信された上記切削加工データに基づいて上記被加工物に切削加工処理を開始する切削加工制御手段とを有するようにした。
【００１８】
また、本発明は、上記した発明において、上記流量センサー監視手段において取得した上記測定結果より、上記集塵装置が起動していないと判断した場合に警告を表示する警告表示手段を有するようにした。
【００１９】
また、本発明は、切削加工処理の際に生じる粉塵を回収する集塵装置を接続可能であって、外部より入力される切削加工データに基づいて、切削ツールにより被加工物を切削して切削加工処理を行う切削加工機による切削加工方法であって、外部より入力される切削加工データを受信し、被加工物の形状を認識する切削加工データ受信工程と、切削ツールを回転させる主軸の動作を制御する主軸動作制御工程と、上記主軸動作制御工程により上記主軸の回転が開始されると、上記集塵装置に吸引される空気の流れを検知する流量センサーの監視を開始し、上記流量センサーの測定結果を取得する流量センサー監視工程と、上記流量センサー監視工程において取得した上記測定結果より、上記集塵装置が起動しているか否かを判断し、上記集塵装置が起動しているものと判断した場合に、上記切削加工データ受信工程において受信された上記切削加工データに基づいて上記被加工物に切削加工処理を開始する切削加工制御工程とを有するようにした。
【００２０】
また、本発明は、上記した発明において、上記流量センサー監視工程において取得した上記測定結果より、上記集塵装置が起動していないと判断した場合に警告を表示する警告表示工程を有するようにした。
【００２１】
また、本発明は、切削加工処理の際に生じる粉塵を回収するとともに切削加工機よりの信号が入力可能な集塵装置を接続可能であって、外部より入力される切削加工データに基づいて、切削ツールにより被加工物を切削して切削加工処理を行う切削加工機による切削加工方法であって、外部より入力される切削加工データを受信し、被加工物の形状を認識する切削加工データ受信工程と、上記切削加工データ受信工程において上記切削加工データを受信すると、上記集塵装置に対して集塵装置制御信号を出力し、上記集塵装置の起動および停止を制御する集塵装置制御工程と、上記集塵装置によって吸引される空気の流れを検知する流量センサーの監視を開始し、上記流量センサーの測定結果を取得する流量センサー監視工程と、上記流量センサー監視工程において取得した上記測定結果より、上記集塵装置が起動しているか否かを判断し、上記集塵装置が起動しているものと判断した場合に、上記切削加工データ受信工程において受信された上記切削加工データに基づいて上記被加工物に切削加工処理を開始する切削加工制御工程とを有するようにした。
【００２２】
また、本発明は、上記した発明において、上記流量センサー監視工程において取得した上記測定結果より、上記集塵装置が起動していないと判断した場合に警告を表示する警告表示工程を有するようにした。
【発明の効果】
【００２３】
本発明は、以上説明したように構成されているので、切削加工機と集塵装置とが速やかに連動することが可能となる切削加工機および切削加工方法を提供することができるという優れた効果を奏する。
【図面の簡単な説明】
【００２４】
【図１】図１は、本発明の切削加工機を備えた切削加工装置を示した概略構成説明図である。
【図２】図２は、本発明の切削加工機を制御するマイクロコンピューターの機能的構成を示すブロック構成説明図である。
【図３】図３は、本発明の切削加工機の処理フローを示すフローチャートである。
【図４】図４は、本発明の切削加工機を備えた切削加工装置を示した概略構成説明図である。
【発明を実施するための形態】
【００２５】
以下、添付の図面を参照しながら、本発明による切削加工機および切削加工方法の実施の形態の一例について詳細に説明するものとする。
【００２６】
図１には、本発明の切削加工機を備えた切削加工装置の概略構成説明図が示されている。
【００２７】
この図１に示す切削加工装置１０は、筐体１２ａの加工エリア１２ｂ内の所定の位置に保持される被加工物を加工する切削加工機１２と、切削加工機１２の加工エリア１２ｂ内と集塵ホース１４ａを介して連結して筐体１２ａ内の粉塵を回収する集塵装置１４と、切削加工機１２に内蔵されたマイクロコンピューター１６とを有して構成される。
【００２８】
より詳細には、切削加工機１２は、筐体１２ａに設けられた加工エリア１２ｂの上面に配設される切削部１８と、集塵装置１４の起動を制御する集塵装置制御出力端子１７と、加工エリア１２ｂ内に集塵ホース１４ａを導入するために加工エリア１２ｂに穿設される孔（図示せず。）と、筐体１２ａと加工エリア１２ｂとの間に配設されて集塵ホース１４ａ内に流れる空気の流れを監視する流量センサー２０と、集塵装置１４から電力を取得するケーブル２２とを有して構成されている。
【００２９】
なお、加工エリア１２ｂは、筐体１２ａが一側面に有するカバー（図示せず。）により開閉自在となされており、加工時は閉状態とすることで加工を行った際に生じる粉塵を外部に漏らすことなく集塵ホース１４ａを介して集塵装置１４より吸引して回収することが可能となっている。
【００３０】
また、切削部１８は、刃物などより構成されて被加工物を切削する切削ツール１８ａと、切削ツール１８ａを回転可能に保持する主軸１８ｂとを有する。
【００３１】
なお、切削部１８は、所定の方向に移動するキャリッジ（図示せず。）に保持されるが、従来より公知の技術を用いることが可能であるため、その詳細な説明については省略する。
【００３２】
また、切削加工機１２は、切削ツール１８ａとして用いることが可能な種々の切削ツールを有するものであり、切削加工データに基づいて自動で切削ツールを選択するオートツールチェンジャー（以下、適宜に「ＡＴＣ」と称する。）（図示せず。）を有する。
【００３３】
次に、集塵装置１４は、切削加工機１２から粉塵を回収するために集塵に必要な電力を電源コンセントに接続された電源ケーブル２４より得る。
【００３４】
そして、その筐体１４ｂに穿設される孔（図示せず。）を有し、孔には切削加工機１２の粉塵を回収する集塵ホース１４ａが配設される。なお、集塵ホース１４ａより回収された粉塵は、集塵装置１４内部に貯留される。
【００３５】
また、切削加工機１２が有するケーブル２２を介して切削加工機１２の消費電力を検知するための電力監視部２６を有する。
【００３６】
これにより、切削加工機１２の消費電力の変化を検知して、消費電力の値によって集塵装置１４を起動もしくは停止することが可能となる。
【００３７】
なお、本実施の形態においては、切削加工機１２の電力値の変化が集塵装置１４の電力監視部２６で受信されるまでは、集塵装置１４は待機状態とすることが可能であるよう構成されている。
【００３８】
また、切削加工機１２の全体の動作は、マイクロコンピューター１６によって制御される。
【００３９】
マイクロコンピューター１６は、図２に示すように、切削加工機１２を動作させるための構成として、切削加工データ受信部１６ａと、ＡＴＣ制御部１６ｂと、主軸動作制御部１６ｃと、流量センサー監視部１６ｄと、切削加工制御部１６ｅと、警告表示部１６ｆと、集塵装置制御部１６ｇとを有して構成されている。
【００４０】
ここで、切削加工データ受信部１６ａは、外部より入力された被加工物の形状に基づく切削加工データを受信し、切削加工機１２において作製する被加工物の形状を認識する。
【００４１】
ＡＴＣ制御部１６ｂは、受信した切削加工データより、切削に用いる切削ツールに関する情報を取得して切削に用いる切削ツールを選択し、主軸１８に配設させるようにオートツールチェンジャー（ＡＴＣ）を制御する。
【００４２】
主軸動作制御部１６ｃは、主軸１８ｂを回転させ、受信した切削加工データに基づいて被加工物を切削可能であるよう主軸１８ｂの動作を制御する。
【００４３】
流量センサー監視部１６ｄは、集塵ホース１４ａに配設されて集塵装置１４に吸引される集塵ホース１４ａ内の空気の流れを検知する流量センサー２０を監視し、流量センサー２０における空気の流量についての測定結果を取得する。
【００４４】
切削加工制御部１６ｅは、切削加工データに基づいて被加工物を加工するために主軸１８ｂの動作、切削ツール１８ａの動作および被加工物の動作を制御する。
【００４５】
警告表示部１６ｆは、切削加工機１２の主軸１８ｂが回転してから一定時間経過しても集塵装置１４が起動しない場合に、切削加工機１２上で明らかであるように警告を出す。
【００４６】
なお、警告表示部１６ｆが出す警告とは、ユーザーが切削加工機１２を通じて認識可能であるものであればよいものであり、例えば、切削加工機１２が有する図示しない表示部にメッセージを表示することや、切削加工機１２の加工エリア１２ｂの照明の色を変化させて知らせることなどが挙げられる。
【００４７】
集塵装置制御部１６ｇは、切削加工機１２が切削加工データを受信すると、自動的に切削加工機１２の集塵装置制御出力端子１７より集塵装置１４へ集塵装置制御信号を出力するよう構成されている。
【００４８】
以上の構成において、図３に示すフローチャートを参照しながら、切削加工機１２を用いて行う切削加工方法の処理について説明するが、はじめに、集塵装置１４は待機状態にあるものとする。
【００４９】
切削加工機１２の外部より切削加工データが入力されると、切削加工データ受信部１６ａにおいて切削加工データを受信し、作製する被加工物の形状を認識するとともに、切削加工処理となる処理ルーチンが開始される。
【００５０】
次に、ステップＳ３０２において、切削加工データを受信したか否かの判断処理が行われる。
【００５１】
ステップＳ３０２の判断処理において、切削加工データを受信したと判断されると、ステップＳ３０３へ進む。
【００５２】
一方、ステップＳ３０２の判断処理において、切削加工データを受信していないと判断されると、ステップＳ３０２の判断処理が再度行われる。
【００５３】
次に、ステップＳ３０３において、集塵装置１４へ集塵装置制御信号を出力する処理が行われる。
【００５４】
ここでは、切削加工機１２の集塵装置制御出力端子１７より集塵装置１４へ集塵装置制御信号が出力される。
【００５５】
次に、ステップＳ３０４において、受信した切削加工データに基づいて、被加工物の切削加工データに基づいて、切削ツールを選択し、選択された切削ツールを主軸１８ｂに配設する処理が行われる。
【００５６】
ここでは、ＡＴＣが作動し、切削可能であるように切削ツール１８ａが主軸１８ｂにセットされる。
【００５７】
次に、ステップＳ３０６において、主軸１８ｂの回転を開始し、流量センサー２０の監視を開始する。
【００５８】
ここで、切削加工機１２において主軸１８ｂが回転することにより、切削加工機１２の消費電力が増加する。これにより、この切削加工機１２における消費電力の増加を、集塵装置１４の電力監視部２６が消費電力の変化として検知し、集塵装置１４が起動する。
【００５９】
また、流量センサー２０の監視が開始されることにより、集塵装置１４の起動を検知することが可能な状況となる。
【００６０】
次に、ステップＳ３０８において、流量センサー２０の測定結果から、集塵装置１４の起動が確認されたか否かの判断処理が行われる。
【００６１】
ステップＳ３０８の判断処理において、集塵装置１４の起動が確認されたと判断されると、ステップＳ３１０の処理に進む。
【００６２】
即ち、流量センサー２０において、集塵装置１４の起動により生じる切削加工機１２から集塵装置１４への空気の流れが検知されれば集塵装置１４が空気を吸引しており、集塵装置１４が起動していることを意味し、続いて切削加工処理を行うことが可能となる。
【００６３】
そして、ステップＳ３１０において、被加工物の切削加工処理が行われる。
【００６４】
被加工物の切削加工処理が終了すると、ステップＳ３１２において、主軸の回転を停止し、切削加工の処理を終了する。
【００６５】
なお、ステップＳ３１２において、主軸１８ｂが停止することにより切削加工機１２の消費電力が低下する。これにより、切削加工機１２の消費電力の変化が集塵装置１４の電力監視部２６により検知されて集塵装置１４は停止する。
【００６６】
一方、ステップＳ３０８の判断処理において、集塵装置１４の起動が確認されないと判断されると、ステップＳ３１４の判断処理へ進む。
【００６７】
ステップＳ３１４においては、最初の確認から一定時間が経過したか否かの判断処理が行われる。
【００６８】
即ち、ステップＳ３１４では、ステップＳ３０８において集塵装置１４の起動が確認されるものであるが、最初にステップＳ３０８で集塵装置１４の起動を確認してから一定時間が経過したか否かを確認する処理が行われる。
【００６９】
そして、ステップＳ３１４において、最初の確認から一定時間が経過していないと判断されると、ステップＳ３０８に戻り、再度ステップＳ３０８の判断処理が行われる。
【００７０】
即ち、ステップＳ３１４において、最初の確認から一定時間が経過したと判断されるまでは、ステップＳ３０８からステップＳ３１４の処理の流れを繰り返すこととなる。
【００７１】
なお、上記一定時間としては、例えば、３０秒程度である。
【００７２】
一方、最初の確認から一定時間が経過したと判断されると、ステップＳ３１４からステップ３１６へ進む。
【００７３】
ステップＳ３１６においては、集塵装置１４は起動していない旨の警告を出す処理が行われ、切削加工方法の処理が終了する。
【００７４】
上記において説明したように、本発明の切削加工機および切削加工方法においては、切削ツールを有する主軸の回転を開始してから切削加工機の流量センサーの監視を開始するようにした。
【００７５】
これにより、切削加工機と集塵装置とは、速やかに連動することとなる。
【００７６】
上記において説明した切削加工装置１０は、切削加工機１２と集塵装置１４とを有し、集塵装置１４は、切削加工機１２の消費電力の変化を検知して集塵装置１４を起動するタイプの集塵装置１４である。
【００７７】
一方、集塵装置１４とは異なる他のタイプの集塵装置を有する切削加工装置の例として、図４に示す切削加工装置１００が挙げられる。
【００７８】
なお、図４に示す他のタイプの集塵装置を有する切削加工装置の説明においては、上記切削加工装置１０に関する記載とそれぞれ同一または相当する構成についてはそれぞれ同一の符号で示すことにより、その構成ならびに作用の詳細な説明は適宜に省略する。
【００７９】
図４は、切削加工機１２および他のタイプの集塵装置１０４を備えた切削加工装置１００の概略構成説明図を示している。
【００８０】
切削加工装置１００においては、切削加工機１２が、電源ケーブル２２を介して電源コンセント（図示せず。）より電力を取得する点において切削加工装置１０と異なる。
【００８１】
また、集塵装置１０４は、切削加工機１２の集塵装置制御出力端子１７よりの集塵装置制御信号を受信するための外部信号入力監視部１１０を備えている。集塵装置制御出力端子１７と外部信号入力監視部１１０とは信号線１１２を介して接続されており、集塵装置制御出力端子１７よりの信号を外部信号入力監視部１１０から集塵装置１０４に入力可能であるようになされている。これらの点において、切削加工装置１０と異なる。
【００８２】
以上の構成において、切削加工装置１００においては、集塵装置制御出力端子１７よりの信号を外部信号入力監視部１１０において受信すると、集塵装置１０４を起動する。
【００８３】
より詳細には、集塵装置１０４を有する切削加工装置１００により切削加工を行う場合には、図３に示す処理ルーチンにおいて、ステップＳ３０２で切削加工データを受信したと判断するとステップＳ３０３に進み、ステップＳ３０３において集塵装置へ集塵装置制御信号を出力する処理が行われるが、このタイミングで集塵装置１０４が起動するものである。
【００８４】
即ち、切削加工装置１００においては、切削加工機１２が外部より切削加工データを受信すると直ちに自動的に切削加工機１２より集塵装置制御信号を集塵装置１０４へ出力し、また、集塵装置１０４の起動を確認する前にＡＴＣによる切削ツールの配設を行うようにした。
【００８５】
そのため、集塵装置１０４の起動がされてからＡＴＣによる切削ツールの配設を行うようにしたことにより、これまでＡＴＣ動作を行う前に集塵装置が安定するまで５〜１０秒程度を待ち時間とし、また、ＡＴＣ動作のために１０〜２０秒程度の時間を待ち時間としていたが、ＡＴＣ動作の前に集塵装置を作動させておくことにより切削加工処理を行うときには集塵装置の吸引力が安定し、切削加工処理が行われるまでの時間が短縮され、切削加工機と集塵装置とが、速やかに連動することとなる。
【００８６】
上記において説明したように、本発明による切削加工機および切削加工方法によれば、切削加工機が実際に切削加工処理に入るまでに無駄な時間を消費したり、切削加工機が実際に切削加工処理を行うときに、集塵装置の吸引力が安定していないということなく、切削加工機と集塵装置とが速やかに連動することとなる。
【００８７】
なお、上記した実施の形態においては、以下の（１）乃至（３）に示すように変形するようにしてもよい。
【００８８】
（１）上記した実施の形態においては、切削加工機１２による切削加工方法の処理において、ステップＳ３０６において流量センサーの監視を開始するようにしたが、これに限られるものではないことは勿論であり、ステップＳ３０６より以前に流量センサーの監視を開始するようにしてもよい。
【００８９】
例えば、ステップＳ３０４においてＡＴＣによって切削ツールが主軸に配設されるが、集塵装置の電力監視部２６に設定されている閾値によっては、ＡＴＣ動作の際に集塵装置が消費電力の変化を検出する可能性もある。そのため、ＡＴＣ動作の際に流量センサーの監視を行っていれば、より早い段階から集塵装置を起動することが可能となり、切削加工処理の際に集塵装置の吸引力を安定させておくことができる。
【００９０】
（２）上記した実施の形態においては、切削加工機１２の外部より切削加工データが入力されるようにしたが、これに限られるものではないことは勿論であり、切削加工機１２を制御するマイクロコンピューター１６内に予め切削加工データを蓄積しておき、ユーザーによりボタンの押下などの操作のタイミングで切削加工を開始するようにしてもよいものである。
【００９１】
（３）上記した実施の形態ならびに上記した（１）および（２）に示す変形例は、適宜に組み合わせるようにしてもよい。
【産業上の利用可能性】
【００９２】
本発明は、切削加工を行う切削加工機に利用することができるものである。
【符号の説明】
【００９３】
１０、１００  切削加工装置、１２、１０２  切削加工機、１４、１０４  集塵装置、１４ａ  集塵ホース、１６、１０６  マイクロコンピューター、１８  切削部、１８ａ  切削ツール、１８ｂ  主軸、２０  流量センサー、２２  ケーブル、２４、１０２ａ、１０４ａ  電源ケーブル、２６  電力監視部、１０８  集塵装置制御出力端子、１１０  外部信号入力監視部、１１２  信号線
【図１】
0006690896.tif 000002
【図２】
0006690896.tif 000003
【図３】
0006690896.tif 000004
【図４】
0006690896.tif 000005